(57)【要約】【課題】接着剤を使用することなく簡単、容易に固着するでき、長期間使用しても装飾キャップが緩まなく、かつ外観不良が発生しない携帯無線機用アンテナを提供する。【解決手段】ジョイント３０は、下部にホイップエレメント１１の上端を固着するジョイント本体３１と、ジョイント本体３１の上部に位置してコイルエレメント５０を保持するジョイント上部３２とからなり、ジョイント上部３２の上端には一対の開口３３ｂを備えた鍔部３３が形成されている。また、装飾キャップ２３に鍔部３３に形成された開口３３ｂに係止される突起部２３ｃが形成されていて、鍔部３３に装飾キャップ２３が嵌挿された際に装飾キャップ２３に形成された突起部２３ｃを鍔部３３に形成された開口３３ｂに嵌入させることにより、キャップ本体２１の先端側に装飾キャップ２３が配設固定なされている。【選択図】  図２
2005191656.tif 000002
【特許請求の範囲】
【請求項１】
収納室を有すると共に下端が開口している絶縁性のキャップ本体と、該キャップ本体の下部に一体的に成形されて略円筒状で導電性のトッププラグと、前記キャップ本体の収納室に収納されると共に前記トッププラグに電気的に接続されるコイルエレメントと、前記キャップ本体の収納室および前記トッププラグに挿入されていると共に該トッププラグの下端から下方に延伸して細長く形成され、その下部にホイップエレメントの上端が略同軸とされて固着されている絶縁性のジョイントと、前記キャップ本体の先端側に配設固定されている金属色の装飾キャップとを備えた携帯無線機用アンテナであって、
前記ジョイントは、下部に前記ホイップエレメントの上端を固着する円筒状のジョイント本体と、該ジョイント本体の上部に位置して前記コイルエレメントを保持するために該ジョイント本体の外径よりも大きく形成された円筒状のジョイント上部とからなり、
前記ジョイント上部の上端には前記コイルエレメントの端部を係止するために該ジョイント上部の外径よりも大きく形成され、かつ側壁に一対の開口を備えた円筒状の鍔部が形成されているとともに、
前記装飾キャップに前記鍔部の側壁に形成された前記開口に係止される突起部が形成されていて、
前記鍔部に前記装飾キャップが嵌挿された際に前記装飾キャップに形成された前記突起部を前記鍔部に形成された前記開口に嵌入させることにより、前記キャップ本体の先端側に前記装飾キャップが配設固定なされていることを特徴とする携帯無線機用アンテナ。
【請求項２】
前記鍔部に形成された前記開口の平面形状は角形であることを特徴とする請求項１に記載の携帯無線機用アンテナ。
【請求項３】
前記装飾キャップは、略円盤状の本体部と、該本体部より下方に突出して互いに相対向するように形成された一対の略半円弧状の突出壁とからなり、
前記突出壁の中央部に該突出壁の先端部から外方に向けて突出する突起部が形成されていることを特徴とする請求項１または請求項２に記載の携帯無線機用アンテナ。
【請求項４】
前記一対の略半円弧状の突出壁の両端部の相対向部間に空隙が生じるように該突出壁が形成されていることを特徴とする請求項１から請求項３のいずれかに記載の携帯無線機用アンテナ。
【請求項５】
前記キャップ本体の前記収納室の上部内周面の全周にわたって多数の係合歯が形成されているとともに、該キャップ本体の下部に一体的に成形されたトッププラグ上部内周面に雌ネジ部が形成されており、
前記ジョイント部の前記ジョイント上部の下部外周面に前記トッププラグ上部内周面に形成された雌ネジ部に螺合する雄ねじ部が形成されており、
前記収納室の上部内周面に形成された前記係合歯に係止される係止用突起が前記鍔部の側壁外周面に形成されており、
前記鍔部の側壁外周面に形成された前記係止用突起は、前記雌ネジ部に前記雄ねじ部が螺合する方向に回転が可能となり、螺合方向とは逆方向には回転が阻止されるように形成されていることを特徴とする請求項１から請求項４のいずれかに記載の携帯無線機用アンテナ。
【請求項６】
前記鍔部の前記一対の開口に対して直角方向に該鍔部の先端から所定の深さの切欠部がに形成されていることを特徴とする請求項１から請求項５のいずれかに記載の携帯無線機用アンテナ。
【請求項７】
前記鍔部に形成された前記切欠部の幅が前記装飾キャップの前記両突出壁の端部間の幅と略等しくなるように形成されているとともに、
前記装飾キャップの前記各突出壁の長さが前記鍔部に形成された前記両切欠部に達する長さに形成されていることを特徴とする請求項１から請求項６のいずれかに記載の携帯無線機用アンテナ。
【発明の詳細な説明】
【技術分野】
【０００１】
本発明は、携帯電話機等の携帯無線機に備えられる携帯無線機用アンテナに関するものである。
【背景技術】
【０００２】
近年、携帯電話機の普及がめざましいが、この携帯電話機においては通話や情報を送受信するためのアンテナが備えられている。この種の携帯電話機に用いられるアンテナにおいては、待ち受け時には携帯に便利なように、携帯電話機の筐体にホイップエレメントが収納できるようになされているのが一般的である。しかしながら、ホイップエレメントを筺体内に収納した時には携帯電話機は送信および受信がほぼ不可能になることから、ホイップエレメントを筐体に収納したときにおいても、筐体外に位置する小型のコイルエレメントをホイップエレメントの先端に設けるようにしている。これにより、ホイップエレメントを筐体に収納した時には、このコイルエレメントを使用して送受信することができるようになる。
【０００３】
このような携帯無線機用アンテナとしては、例えば、図７に示されるような構造が採用されている。この図７に示す携帯無線機用アンテナ６０において、ホイップアンテナ部６４は直線状のエレメントから構成されており、金属製のアンテナホルダー６５に摺動自在に嵌挿されて、アンテナホルダー６５が携帯無線機の筐体に固着された際に、筐体に対してホイップアンテナ部６４が伸張自在となされている。ホイップアンテナ部６４の先端には、トッププラグ６２内を貫通してトップ部６１内に延伸している絶縁性のジョイント６３が一体成形されており、他端には金属製のストッパー部６６が固着されている。ストッパー部６６は、ホイップアンテナ部６４が伸張された際にアンテナホルダー６５内に下方から嵌挿されて、ホイップアンテナ部６４をストッパー部６６を介して電気的にアンテナホルダー６５に接続するためのものである。なお、ストッパー部６６の下端にはアンテナホルダー６５の下面に当接する係止部６６ａが形成されている。
【０００４】
また、ジョイント６３はホイップアンテナ部６４の先端に一体成形されていると共に、一体成形される際にトッププラグ６２にインサート成形されるようになされている。このジョイント６３の上部は図示されていないがトップ部６１内に延伸されてトップ部６１とホイップアンテナ部６４が略一軸上に位置するように、トップ部６１とホイップアンテナ部６４とを固着している。さらに、金属製とされたトッププラグ６２の上部は、トップ部６１内に位置して、トップ部６１内に収納されているコイルエレメント７０（図８参照）の終端部が電気的に接続されている。これにより、ホイップアンテナ部６４を収納した際に、トッププラグ６２がアンテナホルダー６５内に上から嵌挿されて、コイルエレメントがトッププラグ６２を介してアンテナホルダー６５に電気的に接続されるようになる。
【０００５】
ところで、この種の携帯無線機用アンテナ６０において、例えば特許文献１（図８参照）に示されるように、トッププラグ６２の先端外周にコイルエレメント７０の下端部が螺合により固定される。さらに、コイルエレメント７０およびトッププラグ６２の上半分が金型に入れられて、コイルエレメント７０の内側全体を覆うようにボビン６７が絶縁樹脂でインサート成形される。このボビン６７の先端側は細径部６７ａとされ、その中間部の外周に若干径を大きくした径大部６７ｂが形成されている。
【０００６】
さらに、ボビン６７とトッププラグ６２の中間部までが覆われるように絶縁樹脂でトップカバー６１がインサート成形される。なお、このトップカバー６１の先端部とボビン６７の先端側の細径部６７ａとにより、軸方向に筒状の溝６１ａが形成される。そして、樹脂で形成されその外周面に金属メッキがなされた金属色キャップ６９は、溝６１ａに挿入し得る筒状部６９ａとその下端に内側に向けて突出して径を小とする係合部６９ｂとを有する。
【０００７】
そこで、溝６１ａに金属色キャップ６９の筒状部６９ａを挿入すると、筒状部６９ａが弾性変形して係合部６９ｂがボビン６７の細径部６７ａの径大部６７ｂを乗り越え、さらなる挿入により筒状部６９ａが弾性変形から復元する。そこで、金属色キャップ６９は、係合部６９ｂがボビン６７の細径部６７ａの径大部６７ｂと係合し、抜け出ることがない。なお、金属色キャップ６９は、携帯電話機がｃｄｍａＯｎｅに対応することを示すもので、アンテナ特性に何ら寄与するものではなく、単に、アンテナトップの先端に銀色の金属色が配設されていれば良く、その配設構造は何ら規定されるものでない。
【特許文献１】特開２００３−３７４１２
【発明の開示】
【発明が解決しようとする課題】
【０００８】
ところが、上述のように、トップカバー６１を一体にモールドしてトップ部を形成すると、トップ部内に配置されたコイルエレメント７０が誘電体であるトップカバー６１に埋め込まれるようになるため、コイルエレメント７０からなるアンテナの電気的特性が良好にならないという問題点が生じる。さらに、モールドしたトップカバー６１の表面に成形型内に残留していた異物が表れ、外観不良が発生し易い問題点も生じる。
【０００９】
また、金属色キャップ６９に形成された筒状部６９ａを、トップカバー６１の先端部とボビン６７の先端側の細径部６７ａとにより形成された筒状の溝６１ａに圧入して、筒状部６９ａに形成された係合部６９ｂをボビン６７の細径部６７ａに係合させるだけでは、携帯無線機の使用中に金属色キャップ６９が脱落するなどの恐れを生じる。そこで、金属色キャップ６９をボビン６７の先端部に螺合させて固着することが考えられるが、螺合による固着では長期間の使用によりキャップ６９が緩むようになり、その結果キャップ６９が脱落してしまうおそれがあるという問題点が生じる。このため、キャップ６９をトップに螺合すると共に、螺合部に接着剤を使用してキャップ６９を固着したり、超音波接合により固着することも考えられる。
【００１０】
しかしながら、接着剤を塗布する等の作業工程やその管理が必要になると共に、接着剤のはみ出しによる外観不良が生じたり、接着剤の不足によるキャップの脱落等の問題点が生じる。また、超音波により接合する場合においては、超音波振動に起因するすれ傷が生じる等の外観不良が生じたり、超音波設備のための設備費が増大するという問題も生じた。
【００１１】
そこで、本発明は上記の問題点を解消するためになされたものであって、接着剤を使用することなく簡単、容易に固着することができると共に、長期間使用しても装飾キャップが緩まなく、かつ外観不良が発生しない携帯無線機用アンテナを提供することを目的としている。
【課題を解決するための手段】
【００１２】
上記目的を達成するため、本発明の携帯無線機用アンテナは、収納室を有すると共に下端が開口している絶縁性のキャップ本体と、このキャップ本体の下部に一体的に成形されて略円筒状で導電性のトッププラグと、キャップ本体の収納室に収納されると共にトッププラグに電気的に接続されるコイルエレメントと、キャップ本体の収納室およびトッププラグに挿入されていると共にトッププラグの下端から下方に延伸して細長く形成され、その下部にホイップエレメントの上端が略同軸とされて固着されている絶縁性のジョイントと、キャップ本体の先端側に配設固定されている金属色の装飾キャップとを備えている。
【００１３】
そして、ジョイントは、下部にホイップエレメントの上端を固着する円筒状のジョイント本体と、このジョイント本体の上部に位置してコイルエレメントを保持するためにジョイント本体の外径よりも大きく形成された円筒状のジョイント上部とからなり、ジョイント上部の上端にはコイルエレメントの端部を係止するためにジョイント上部の外径よりも大きく形成され、かつ側壁に一対の開口を備えた円筒状の鍔部が形成されているとともに、装飾キャップに鍔部の側壁に形成された開口に係止される突起部が形成されていて、鍔部に装飾キャップが嵌挿された際に装飾キャップに形成された突起部を鍔部に形成された開口に嵌入させることにより、キャップ本体の先端側に装飾キャップが配設固定なされていることを特徴とする。
【００１４】
これにより、接着剤を使用することなく簡単、容易に装飾キャップをキャップ本体の先端側に固着することができる。そして、装飾キャップに形成された突起部は、キャップ本体内に収納されるジョイント上部の鍔部に形成された開口に係止されることとなるため、キャップ本体に外部応力が付与されても突起部が開口から外れることはない。これにより、長期間使用しても装飾キャップが緩まなく、かつ外観不良が発生しない携帯無線機用アンテナを得ることが可能となる。この場合、鍔部に形成された開口の平面形状が角形であると、装飾キャップに形成された突起部が鍔部に形成された開口に強固に係止されるようになるので望ましい。
【００１５】
また、装飾キャップは、略円盤状の本体部と、この本体部より下方に突出して互いに相対向するように形成された一対の略半円弧状の突出壁とからなり、この突出壁の中央部に突出壁の先端部から外方に向けて突出する突起部が形成されているのが望ましい。また、一対の略半円弧状の突出壁の両端部の相対向部間に空隙が生じるように突出壁が形成されていると、装飾キャップを鍔部に嵌挿した際に突出壁に緩衝作用が生じるようになるため装飾キャップを鍔部に容易に嵌挿できるようになると共に、装飾キャップが鍔部から外れにくくなる。
【００１６】
また、キャップ本体の収納室の上部内周面の全周にわたって多数の係合歯が形成されているとともに、キャップ本体の下部に一体的に成形されたトッププラグ上部内周面に雌ネジ部が形成されており、ジョイントのジョイント上部の下部外周面にトッププラグ上部内周面に形成された雌ネジ部に螺合する雄ねじ部が形成されており、収納室の上部内周面に形成された係合歯に係止される係止用突起が鍔部の側壁外周面に形成されており、鍔部の側壁外周面に形成された係止用突起部は、雌ネジ部に雄ねじ部が螺合する方向に回転が可能となり、螺合方向とは逆方向には回転が阻止されるように形成されている。
【００１７】
これにより、雌ネジ部と雄ねじ部との螺合によりトッププラグとジョイント部とが固着されるとともにキャップ本体とジョイント部も同時に固着されるようになるので、この種の携帯無線機用アンテナの組立の簡素化を達成できるとともに、接着剤を塗布することもないことから管理工数の削減が可能となって、設備費が安価になる。この結果、この種の携帯無線機用アンテナのコストダウンも達成することができるようになる。また、鍔部の外周面に形成された係止部が係合歯に係合することによりキャップ本体の緩み方向への回転が阻止されており、鍔部の開口内に装飾キャップに形成された突起部が嵌挿されて該キャップ本体の先端側に装飾キャップが配設固定されているので、装飾キャップの脱落が防止できるとともに、キャップ本体とジョイントとの結合強度も向上させることが可能となる。
【００１８】
この場合、鍔部の一対の開口に対して直角方向にこの鍔部の先端から所定の深さの切欠部が形成されていると、キャップ本体にジョイントを挿入し、トッププラグ上部内周面に形成された雌ネジ部に、ジョイント上部の下部外周面に形成された雄ねじ部を螺合させた際に、鍔部に緩衝作用が生じるようになる。このため、ジョイントをキャップ本体に容易に挿入できるようになるとともに、ジョイントとキャップ本体との結合力が向上する。
さらに、鍔部に形成された切欠部の幅が装飾キャップの両突出壁の端部間の幅と略等しくなるように形成されているとともに、装飾キャップの各突出壁の長さが両切欠部に達する長さに形成されていると、装飾キャップを鍔部に嵌挿した際に、両切欠部が位置決め用のガイドとなるため、突出壁の中央部に形成された突起部を鍔部に形成された開口に容易に嵌入させることができるようになる。
【発明を実施するための最良の形態】
【００１９】
以下に、本発明の携帯無線機用アンテナを携帯電話機に適用した場合の一実施の形態を図１乃至図６に基づいて説明する。なお、図１は本発明の携帯無線機用アンテナを示す図であり、図２は、図１の携帯無線機用アンテナの要部の縦方向の断面を示す断面図である。また、図３は本発明の携帯無線機用アンテナの部品となるアンテナトップ部を示す図であり、図３（ａ）は一部破断の正面図であり、図３（ｂ）はその上面図であり、図３（ｃ）は図３（ｂ）の一部を拡大して示す拡大上面図である。
【００２０】
また、図４は本発明の携帯無線機用アンテナの部品となる装飾キャップを示す図であり、図４（ａ）はその正面図であり、図４（ｂ）はその側面図であり、図４（ｃ）はその下面図であり、図４（ｄ）はその上面図であり、図４（ｅ）はその断面図である。また、図５は本発明の携帯無線機用アンテナの部品となるジョイント部とホイップアンテナ部を示す図であり、図５（ａ）はその一部破断の正面図であり、図５（ｂ）はその側面の一部を示す側面図であり、図５（ｃ）はその上面図であり、図５（ｄ）はその一部を拡大して示す断面図である。さらに、図６は本発明の携帯無線機用アンテナを組み付ける状態を模式的に示す図である。
【００２１】
本発明の携帯無線機用アンテナＡは、図１および図２に示すように、ホイップアンテナ１０とアンテナトップ２０とを備え、ホイップアンテナ１０とアンテナトップ２０は絶縁性のジョイント３０により機械的に接続されている。ホイップアンテナ１０を構成している線状のホイップエレメント１１の先端は、ジョイント３０の一端に一体的に成形されている。また、このホイップエレメント１１の下端は導電性のストッパー１４に固着されている。さらに、ホイップアンテナ１０は導電性のホルダー４０に摺動自在に保持されている。
【００２２】
このように構成された携帯無線機用アンテナＡにおいて、例えば金属製とされたホルダー４０は携帯電話機等の筐体に取り付けられ、ホイップアンテナ１０がホルダー４０に対して伸長された時は、ホルダー４０に下方からストッパー１４が挿入保持され、係止部１４ａがホルダー４０の下面に当接するようになる。これにより、ホイップアンテナ１０がホルダー４０に電気的に接続されるようになり、ホイップアンテナ１０のみが動作状態となる。
【００２３】
一方、ホイップアンテナ１０を携帯電話機等の筐体内に収納した時は、アンテナトップ２０の下面がホルダー４０の上面に当接するまでジョイント３０がホルダー４０に上方から挿入されて、例えば金属製とされている導電性のトッププラグ２２がホルダー４０に電気的に接続される。これにより、トッププラグ２２に接続されていると共に、アンテナトップ２０内に収納されているコイルエレメント５０のみが動作状態となる。
【００２４】
したがって、本発明の携帯無線機用アンテナＡを携帯電話機に適用した際に、携帯無線機用アンテナＡを伸張した場合はホイップアンテナ１０を使用して効率よく送受信することができると共に、携帯無線機用アンテナＡを収納してコンパクトにした場合はアンテナトップ２０内に収納されているコイルエレメント５０を使用して送受信することができるようになる。
【００２５】
なお、ジョイント３０によりホイップアンテナ１０とアンテナトップ２０とが絶縁されているが、これは、ホイップアンテナ１０とコイルエレメント５０とを各々独立してアンテナとして使用するためである。すなわち、コイルエレメント５０の給電手段であるトッププラグ２２と、ホイップアンテナ１０との間に静電容量が発生すると、コイルエレメント５０とホイップアンテナ１０とが電気的に結合して、それぞれのアンテナの動作に悪影響を及ぼすようになる。これを防止するために、アンテナトップ２０とホイップアンテナ１０との間を十分離隔して、静電容量が発生しないよう絶縁性のジョイント３０を介在させているのである。
【００２６】
ここで、ホイップアンテナ１０は、主にホイップエレメント１１から構成され、このホイップエレメント１１の先端部は、合成樹脂（例えば、ナイロンやＰＢＴ樹脂など）製のジョイント３０の下部に一体成形されて固着されている。この場合、超弾性金属（例えば、Ｎｉ−Ｔｉ合金など）製とされたホイップエレメント１１の先端部には、ジョイント３０から抜け出ることを防止するための拡大された異形部１１ａ（図５（ｄ）参照）が形成されている。なお、ホイップエレメント１１はナイロン等の合成樹脂製の弾性を有する絶縁チューブ１２（図６参照）内に挿通されて被覆されている。
【００２７】
ホイップアンテナ１０の他端、即ち、ホイップエレメント１１の他端には、金属（例えば、真鍮、アルミニウムなど）製とされた導電性のストッパー１４がホイップエレメント１１に電気的に接続されるよう固着されている。さらに、このホイップアンテナ１０を伸縮可能に保持するホルダー４０が、ストッパー１４を固着する前にホイップアンテナ１０に挿通されている。なお、ホルダー４０に形成された貫通孔４１内には、図６に示すようにスプリング４２が収納されており、このスプリング４２によりホルダー４０は確実にホイップアンテナ１０を摺動保持できるようになされる。
【００２８】
アンテナトップ２０は、図２および図３に示すように、キャップ本体２１とトッププラグ２２と装飾キャップ２３とから構成されている。そして、キャップ本体２１とトッププラグ２２はモールド成形により一体的に成形されている。キャップ本体２１は、ＡＢＳ樹脂やエラストマー樹脂などの樹脂を成形することにより略円筒状に形成されている。キャップ本体２１の内部はコイルエレメント５０が収納される収納室２１ａとされ、その上部内周面には、平目のローレットにより多数の係合歯２１ｂが全周にわたって略等間隔に形成されている。この係合歯２１ｂの断面形状は鋸歯状とされており、後述するジョイント３０の上部の鍔部３３に形成された係止部３３ａが係合するようにされている。
【００２９】
トッププラグ２２は、金属（例えば、真鍮など）製とされて円筒状に形成されており、その軸方向中心部に貫通孔２２ａが形成されている。この貫通孔２２ａの上部外周面にはコイルエレメント５０が嵌入されて保持される嵌入部２２ｂと、モールド時にキャップ本体２１内に突入する環状突起部２２ｃとが形成されている。また、貫通孔２２ａの上部内周面には、ジョイント３０のジョイント上部３２の下部に形成された雄ネジ部３４に螺着される雌ネジ部２２ｄが形成されている。
【００３０】
装飾キャップ２３は、図４に示すように、ＡＢＳ樹脂やエラストマー樹脂等の樹脂成形体に金属メッキ（例えば、Ｃｕ／Ｎｉ／Ｃｒの三層メッキ）を施すことにより作製されている。この場合、装飾キャップ２３は、略円盤状の本体部２３ａと、この本体部２３ａより下方に突出して互いに相対向する一対の略半円弧状の突出壁２３ｂ，２３ｂとから形成されている。そして、一対の略半円弧状の突出壁２３ｂ，２３ｂの中央部には、これらの突出壁２３ｂの先端から外方に向けて突出する突起部２３ｃがそれぞれ形成されおり、相対向する突出壁２３ｂ，２３ｂの間には空隙部２３ｄが形成されている。これにより、装飾キャップ２３を後述するジョイント３０の上部に形成された鍔部３３に圧入させると、突出壁に緩衝作用が生じるようになるため、装飾キャップ２３を鍔部３３に容易に嵌挿できるようになると共に、装飾キャップ２３が鍔部３３から外れにくくなる。この結果、装飾キャップ２３はアンテナトップ２０に強固に固着されることとなる。
【００３１】
なお、突出壁２３ｂ，２３ｂの両端部間に形成される空隙部２３ｄの幅に両突出壁２３ｂの厚みを加えた幅（両突出壁端部間の幅）ｔ１は、後述するジョイント３０の上部の鍔部３３に形成された切欠部３３ｃの幅ｔ２と略等しくなるように形成されている。また、各突出壁２３ｂの長さは、上記鍔部３３に形成された両切欠部３３ｃ，３３ｃに達する長さとされている。これにより、装飾キャップ２３を鍔部３３に嵌挿した際に、両切欠部３３ｃ，３３ｃがガイドとなって突出壁２３ｂの中央部に形成された突起部２３ｃを鍔部３３に形成された開口３３ｂに容易に嵌入させることができるようになる。
【００３２】
ジョイント３０は、図５に示すように、細長い棒状のジョイント本体３１と、その上部に形成されたジョイント上部３２とから構成されている。そして、ジョイント本体３１の下部には、ホイップエレメント１１の先端が一体成形されている。また、ジョイント３０の上部に位置するジョイント上部３２は、コイルエレメント５０を保持するためにジョイント本体３１よりは若干大径とされている。ここで、ジョイント上部３２の先端にはコイルエレメント５０を係止するための鍔部３３が形成されている。また、ジョイント上部３２の下部には、上述したトッププラグ２２の上部に形成され雌ネジ部２２ｄに螺合する雄ねじ部３４が形成されている。
【００３３】
鍔部３３はジョイント上部３２から突出した円筒状の突出壁により構成され、鍔部３３の円筒状の突出壁の外周面には、上述したキャップ本体２１の上部内周面に形成された係合歯２１ｂを係止するための係止用突起３３ａが形成されている。この場合、アンテナトップ２０内にジョイント３０を挿入し、トッププラグ２２の上部に形成された雌ネジ部２２ｄにジョイント上部３２の下部に形成された雄ねじ部３４を螺合させる際には、係止用突起３３ａが係合歯２１ｂの鋸歯状の斜面を乗り越えてキャップ本体２１の回転を許容し、雌ネジ部２２ｄと雄ねじ部３４との螺合を緩める方向にキャップ本体２１を回転させた場合には、回転を阻止するように、係合歯２１ｂの鋸歯状の斜面と係止用突起３３ａが形成されている。
【００３４】
一方、この突出壁に一対の開口３３ｂ，３３ｂが形成されているとともに、一対の開口３３ｂ，３３ｂに対して直角方向に、一対の切欠部３３ｃ，３３ｃが形成されている。ここで、円筒状の突出壁に囲まれた部分の平面の直径は、上述した装飾キャップ２３に形成された円弧状突出壁２３ｂ，２３ｂにより形成される平面の直径とほぼ同等の大きさになるように形成されている。また、開口３３ｂ，３３ｂは平面形状が四角形状になるように形成されており、この開口３３ｂ，３３ｂ内に上述した装飾キャップ２３の突出壁２３ｂに形成された突起部２３ｃを嵌入させることにより、装飾キャップ２３はアンテナトップ２０に強固に固着されることとなる。
【００３５】
また、鍔部３３に一対の切欠部３３ｃ，３３ｃを形成することにより、キャップ本体２１にジョイント３０に挿入して、トッププラグ２２の上部に形成された雌ネジ部２２ｄにジョイント上部３２の下部に形成された雄ねじ部３４を螺合させると、鍔部３３に緩衝作用が生じるようになる。これにより、ジョイント３０をキャップ本体２１に容易に挿入できるようになるとともに、ジョイント３０とキャップ本体２１との結合力が向上するようになる。
【００３６】
この場合、切欠部３３ｃの幅ｔ２を装飾キャップ２３の両突出壁２３ｂの端部間の幅ｔ１と略等しくなるように形成されている。そして、装飾キャップ２３の各突出壁２３ｂの長さが両切欠部３３ｃ，３３ｃに達する長さとされていると、装飾キャップ２３を鍔部３３に嵌挿した際に、両切欠部３３ｃ，３３ｃが位置決め用のガイドとなるため、突出壁２３ｂの中央部に形成された突起部２３ｃを鍔部３３に形成された開口３３ｂに容易に嵌入させることができるようになる。
【００３７】
なお、ジョイント３０の下端部とホイップエレメント１１との間にはリング状溝部３５が形成されている。このリング状溝部３５は、絶縁チューブ１２の先端が挿入される溝部とされている。また、コイルエレメント５０は、トッププラグ２２の貫通孔２２ａの上部外周面に形成された嵌入部２２ｂに保持される径となるように、また、設定された周波数帯域で動作可能となる所定の巻き数となるように、リン青銅やステンレスの線材を巻回することにより形成されている。
【００３８】
次に、上述のように構成される携帯無線機用アンテナＡの組立方法を図６に基づいて説明する。まず、コイルエレメント５０を用意した後、アンテナトップ２０のキャップ本体２１に形成された収納室２１ａにコイルエレメント５０を挿入する。このとき、コイルエレメント５０の先端部を嵌入部２２ｂに嵌入させて、キャップ本体２１内にコイルエレメント５０を保持する。これにより、コイルエレメント５０が収納室２１ａに挿入されてその先端部が嵌入部２２ｂに嵌入された際に、コイルエレメント５０はトッププラグ２２に電気的に接続されるようになる。
【００３９】
ついで、収納室２１ａに取り付けられたコイルエレメント５０内に、ジョイント３０のジョイント本体３１の下部に一体的に成形されたホイップエレメント１１を挿入していく。これにより、コイルエレメント５０およびトッププラグ２２の貫通孔２２ａ内にホイップエレメント１１およびジョイント３０のジョイント本体３１が挿入されていき、ついには、ジョイント３０のジョイント上部３２の先端に形成された鍔部３３がコイルエレメント５０の先端に当接する。また、ジョイント本体３１の下端部がトッププラグ２２の貫通孔２２ａから下方へ突出するようになる。
【００４０】
この後、トッププラグ２２の上部内周面に形成された雌ねじ部２２ｄに、ジョイント３０のジョイント上部３２の下部に形成された雄ネジ部３４を螺合させると、コイルエレメント５０は収納室２１ａに収納される。この場合、ジョイント３０を締める方向に回転した際には、キャップ本体２１の上部内周面に形成された係合歯２１ｂの鋸歯状の斜面を鍔部３３の外周面に形成された係止用突起３３ａが乗り越えていくため、ジョイント３０の回転は係合歯２１ｂにより妨げられることはない。
【００４１】
一方、ジョイント３０を緩める方向に回転させようとすると、キャップ本体２１の上部内周面に形成された係合歯２１ｂの鋸歯状の急峻面が鍔部３３の外周面に形成された係止用突起３３ａに当接するため、ジョイント３０の回転は係止用突起３３ｄにより阻止される。この様に、係止用突起３３ａは、締めつける方向の回転を許容すると共に、緩める方向の回転を阻止するように形成されている。
【００４２】
そして、ホイップエレメント１１は、前述のようにトッププラグ２２に挿入されるとともに、ホルダー４０にも挿入される。また、ホイップエレメント１１の外側に絶縁チューブ１２を取り付ける。この絶縁チューブ１２の先端は、ジョイント３０の下端部に形成されたリング状溝部３５（図５（ｄ）参照）に挿入される。ついで、絶縁チューブ１２に被覆されたホイップエレメント１１の下端にストッパー１４が固着される。最後に、装飾キャップ２３をジョイント３０に圧入させ、ジョイント３０の鍔部３３の側壁に形成された開口３３ｂに突起部２３ｃを嵌入させることにより、装飾キャップ２３はアンテナトップ２０に強固に固着されることとなる。
【００４３】
上記したように、装飾キャップ２３をジョイント３０に圧入させ、ジョイント３０の鍔部３３の側壁に形成された開口３３ｂに突起部２３ｃを嵌入させることにより、装飾キャップ２３はアンテナトップ２０に強固に固着されることとなる。この場合、キャップ部２０とジョイント３０との結合は螺合構造であるので、ねじ込みにより簡単に取り付けることができる。
【００４４】
これにより、接着剤を使用する際に必要となる管理や作業工程を省くことができ、作業工程を簡略化することができる。しかも、一旦取り付けると、係合歯２１ｂと係止用突起３３ａとの係合により、長期間使用してもキャップ部２０が緩むことを防止することができるとともに、携帯無線機の使用中に装飾キャップ２３がジョイント３０より脱落することが防止できるようになる。さらに、コイルエレメント５０は収納室２１ａに収納されており、コイルエレメント５０が誘電体であるキャップ本体２１内に埋め込まれることを防止することができる。したがって、コイルエレメント５０からなるアンテナの電気的特性を良好にすることができる。
【産業上の利用可能性】
【００４５】
なお、上述した実施の形態においては、本発明の携帯無線機用アンテナを携帯電話機に適用する例について説明したが、本発明はこれらに限らず、モバイルコンピュータ、ＰＤＡ等の情報端末機の送受信部に用いるアンテナ装置を筐体に対して伸縮させる必要がある各種の無線通信機器に適用できることは明らかである。
【図面の簡単な説明】
【００４６】
【図１】本発明の携帯無線機用アンテナを示す正面図である。
【図２】図１の携帯無線機用アンテナの要部の縦方向の断面を示す断面図である。
【図３】本発明の携帯無線機用アンテナの部品となるジョイント部とホイップアンテナ部を示す図であり、図３（ａ）は一部破断の正面図であり、図３（ｂ）はその上面図であり、図３（ｃ）は図３（ｂ）の一部を拡大して示す図である。
【図４】本発明の携帯無線機用アンテナの部品となるアンテナトップ部を示す図であり、図４（ａ）はその正面図であり、図４（ｂ）はその側面図であり、図４（ｃ）はその下面図であり、図４（ｄ）はその上面図であり、図４（ｅ）はその断面図である。
【図５】本発明の携帯無線機用アンテナの部品となる装飾キャップを示す図であり、図５（ａ）はその一部破断の正面図であり、図５（ｂ）はその側面の一部を示す側面図であり、図５（ｃ）はその上面図であり、図５（ｄ）はその一部を拡大して示す断面図である。
【図６】本発明の携帯無線機用アンテナを組み付ける状態を模式的に示す図である。
【図７】従来例の携帯無線機用アンテナを示す図である。
【図８】従来例の携帯無線機用アンテナの要部を示す図である。
【符号の説明】
【００４７】
Ａ…携帯無線機用アンテナ、１０…ホイップアンテナ、１１…ホイップエレメント、 １１ａ…異形部、１２…絶縁チューブ、１４…ストッパー、１４ａ…係止部、２０…アンテナトップ、２１ キャップ本体、２１ａ…収納室、２１ｂ…係合歯、２２…トッププラグ、２２ａ…貫通孔、２２ｂ…嵌入部、２２ｃ…環状突起部、２２ｄ…雌ネジ部、２３…装飾キャップ、２３ａ…本体部、２３ｂ…略円弧状突出壁、２３ｃ…突起部、２３ｄ…空隙部、３０…ジョイント、３１…ジョイント本体、３２…ジョイント上部、３３…鍔部、３３ａ…係止用突起、３３ｂ…開口、３３ｃ…切欠部、３４…雄ネジ部、３５…リング状溝部、４０…ホルダー、４１…貫通孔、４２…スプリング、５０コイルエレメント
【図１】
2005191656.tif 000003
【図２】
2005191656.tif 000004
【図３】
2005191656.tif 000005
【図４】
2005191656.tif 000006
【図５】
2005191656.tif 000007
【図６】
2005191656.tif 000008
【図７】
2005191656.tif 000009
【図８】
2005191656.tif 000010